(57)【要約】【課題】何等の工具を使用することなくハイト調整を容易に行うことのできるパンチ金型を提供する。【解決手段】下端部にパンチ刃部を備えたパンチボディ７を上下動自在に内装した筒状のパンチガイド３の上部にリテーナカラー３３を着脱可能に備え、このリテーナカラー３３の上方に上下動自在に備えたスプリング座４１と前記リテーナカラー３３との間に前記スプリング座４１を上方向へ付勢するための付勢手段４３を備えると共に前記リテーナカラー３３に対する前記スプリング座４１の上限位置を規制自在に構成したパンチ金型であって、前記パンチボディ７の上端部に形成した雄ねじ部４９と螺合自在な雌ねじ部５１を備えたヘッド部材４５を前記スプリング座４１の上部に回動固定可能に備えると共に、前記パンチボディ７の上端部に形成した上下方向のスリット５３に上下動自在に係合した回り止め部材５５を前記スプリング座４１に備えた構成である。【選択図】図１
2008132532.tif 000002
【特許請求の範囲】
【請求項１】
下端部にパンチ刃部を備えたパンチボディを上下動自在に内装した筒状のパンチガイドの上部にリテーナカラーを着脱可能に備え、このリテーナカラーの上方に上下動自在に備えたスプリング座と前記リテーナカラーとの間に前記スプリング座を上方向へ付勢するための付勢手段を備えると共に前記リテーナカラーに対する前記スプリング座の上限位置を規制自在に構成したパンチ金型であって、前記パンチボディの上端部に形成した雄ねじ部と螺合自在な雌ねじ部を備えたヘッド部材を前記スプリング座の上部に、当該スプリング座に対して回動固定可能に備えると共に、前記パンチボディの上端部に形成した上下方向のスリットに上下動自在に係合した回り止め部材を前記スプリング座に備えていることを特徴とするパンチ金型。
【請求項２】
請求項１に記載のパンチ金型において、前記リテーナカラーに対する前記スプリング座の上限位置を規制自在な構成は、前記リテーナカラーに一体的に備えた筒状部材に、前記スプリング座に備えた被係止部を上方向から係止自在な係止部を備えた構成であり、かつ前記ヘッド部材は、常態において把持可能なように前記スプリング座及び前記筒状部材より常に上方に位置した構成であることを特徴とするパンチ金型。
【請求項３】
請求項１又は２に記載のパンチ金型において、前記スプリング座に対してヘッド部材を回動可能かつ固定可能な構成は、前記パンチヘッド又はスプリング座に放射方向へ移動可能に備えたロック片における係止部が周方向へ通過可能な周回許容部及びこの周回許容部に連通した係止凹部を周方向に複数備え、かつ前記ロック片の前記係止部が前記係止凹部に係合した状態を保持するように、前記ロック片を放射方向に付勢した構成であることを特徴とするパンチ金型。
【発明の詳細な説明】
【技術分野】
【０００１】
本発明は、例えばタレットパンチプレスなどのごときパンチプレスに装着して使用されるパンチ金型に係り、さらに詳細には、長時間の使用後の再研磨後のハイト調整を、何等の工具を用いることなしに容易に行い得るパンチ金型に関する。
【背景技術】
【０００２】
パンチプレスに使用されるパンチ金型は、長時間の使用後には摩耗したパンチ刃部の再研磨を行って再使用されている。上述のように、パンチ刃部の再研磨を行うと、パンチ金型の長さ寸法が変化するので、再研磨によって短くなった分を長さ調整することが行われている。上記調整は工具を用いて行うのが一般的であるので、工具の管理が厄介であるという問題がある。
【０００３】
そこで、何等の工具を用いることなくハイト調整（パンチ金型の長さ調整）を行うことのできるパンチ金型が提案されている（例えば特許文献１参照）。
【特許文献１】特開平１０−２４４３２７号公報
【発明の開示】
【発明が解決しようとする課題】
【０００４】
前記特許文献１に記載のパンチ金型は、図３に示すごとき構成である。すなわち、パンチ金型１は、円筒形状のパンチガイド３内に、下端部にパンチ刃部５を備えたパンチボディ７を上下動自在に備えている。そして、前記パンチガイド３の上部に着脱可能に備えたリテーナカラー９には上方向に長い円筒部１１が一定に備えられており、この円筒部１１の上部内面には、固定リング１３が一体的に螺着してある。この固定リング１３の下側で前記円筒部１１内にはリング状のスプリング座１５が上下動自在に配置してあり、このスプリング座１５と前記リテーナカラー９との間には、強力なストリッパースプリング１７が弾装してある。
【０００５】
前記パンチ刃部５の再研磨を行った後に長さを調整するために、前記固定リング１３の内側にはパンチヘッド１９が配置してあり、このパンチヘッド１９から下方向へ延伸したパンチドライバ２１の下部には雄ねじ部２２が形成してあって、この雄ねじ部２２は、前記パンチボディ７に形成した雌ねじ部に位置調節可能に螺入してある。前記パンチボディ７に対して前記パンチドライバ２１を相対的に回転して長さの調整を行うために、前記パンチボディ７には、前記パンチガイド３の内周面に形成した上下方向のキー溝２３に上下動自在に係合した回り止め用のキー２５が一体的に取付けてある。そして、前記パンチヘッド１９の外周面には、上下方向の複数のキー溝２７が周方向へ適宜間隔に形成してあり、前記固定リング１３には上記キー溝２７に係合した回り止め用のキー２９が取付けてある。
【０００６】
以上のごとき構成において、パンチ刃部５の再研磨後にハイト調整（パンチ金型１の長さ調整）を行うときは、図４に示すように、パンチヘッド１９に形成したキー溝２７と固定リング１３に備えたキー２９との係合を解除するように、パンチヘッド１９及びパンチボディ７を持上げる。そして、この持上げた状態において、パンチボディ７に対してパンチヘッド１９，パンチドライバ２１を相対的に回動して、パンチドライバ２１に形成した雄ねじ部２２とパンチボディ７に形成した雌ねじ部との螺入状態を調整するものである。
【０００７】
なお、パンチボディ７とパンチドライバ２１とを一体に設けて、このパンチドライバ２１の上端部に形成した雄ねじ部とパンチヘッド１９とを位置調節可能に螺合した構成の場合においても、前述と同様の操作を行うものである。
【０００８】
すなわち、従来の構成においては、パンチガイド３に対してパンチボディ７を一旦上昇せしめて、パンチヘッド１９に形成したキー溝２７と固定リング１３に備えたキー２９との係合を解除する必要があるので、重量大であるパンチヘッド１９等を持上げる操作が厄介であるという問題がある。また、パンチヘッド１９，パンチボディ７等がパンチガイド３等に対して上方向へ抜き出し自在であることにより、パンチング加工時の上昇復帰時に、固定リング１３からパンチヘッド１９が飛び出すことを防止する機構（特許文献１の図３参照）を設ける必要があり、構成が複雑になるという問題がある。さらに、パンチガイド３の内面に上下方向のキー溝２３を加工する必要がある等の問題がある。
【課題を解決するための手段】
【０００９】
本発明は、前述のごとき状態の問題に鑑みてなされたもので、下端部にパンチ刃部を備えたパンチボディを上下動自在に内装した筒状のパンチガイドの上部にリテーナカラーを着脱可能に備え、このリテーナカラーの上方に上下動自在に備えたスプリング座と前記リテーナカラーとの間に前記スプリング座を上方向へ付勢するための付勢手段を備えると共に前記リテーナカラーに対する前記スプリング座の上限位置を規制自在に構成したパンチ金型であって、前記パンチボディの上端部に形成した雄ねじ部と螺合自在な雌ねじ部を備えたヘッド部材を前記スプリング座の上部に、当該スプリング座に対して回動固定可能に備えると共に、前記パンチボディの上端部に形成した上下方向のスリットに上下動自在に係合した回り止め部材を前記スプリング座に備えていることを特徴とするものである。
【００１０】
また、前記パンチ金型において、前記リテーナカラーに対する前記スプリング座の上限位置を規制自在な構成は、前記リテーナカラーに一体的に備えた筒状部材に、前記スプリング座に備えた被係止部を上方向から係止自在な係止部を備えた構成であり、かつ前記ヘッド部材は、常態において把持可能なように前記スプリング座及び前記筒状部材より常に上方に位置した構成であることを特徴とするものである。
【００１１】
また、前記パンチ金型において、前記スプリング座に対してヘッド部材を回動可能かつ固定可能な構成は、前記パンチヘッド又はスプリング座に放射方向へ移動可能に備えたロック片における係止部が周方向へ通過可能な周回許容部及びこの周回許容部に連通した係止凹部を周方向に複数備え、かつ前記ロック片の前記係止部が前記係止凹部に係合した状態を保持するように、前記ロック片を放射方向に付勢した構成であることを特徴とするものである。
【発明の効果】
【００１２】
本発明によれば、何等の工具を用いることなしに、パンチボディの上端部に形成した雄ねじ部に螺合したヘッド部材を回動してハイト調整を行うことができる。また、パンチガイドの内面に上下方向のキー溝を形成する必要がなく、より加工が容易になり、前述したごとき従来の問題を解消することができるものである。
【発明を実施するための最良の形態】
【００１３】
以下、図面を用いて本発明の実施形態について説明するに、前述した従来の構成要素と同一の機能を奏する構成要素には、同一符号を付することとして重複した説明は省略する。
【００１４】
図１を参照するに、本発明の実施形態に係るパンチ金型１は、前述した従来のパンチ金型と同様に円筒形状のパンチガイド３を備えており、このパンチガイド３内には、下端部にパンチ刃部（図１には図示省略）を備えたパンチボディ７が上下動自在に内装（嵌入）してある。前記パンチガイド３の上部には、パンチヘッドユニットが備えられている。すなわち、パンチガイド３の上部には、リング状の固定具３１を介してリテーナカラー３３が着脱可能に取付てあり、このリテーナカラー３３には、リング状の固定具３５を介して円筒形状の筒状部材３７が一体的に取付てある。上記筒状部材３７の上部には、内方向へ突出したリング状の内側フランジ３９が形成してある。
【００１５】
なお、前記筒状部材３７は、前述した従来の構成と同様に、前記リテーナカラー３３と一体に設けた構成とすることも可能である。この場合、前記内側フランジ３９の部分を筒状部材３７とは別体に構成して、筒状部材３７に螺合一体化した構成とすることができる。
【００１６】
前記筒状部材３７の内部で前記リテーナカラー３３の上方には環状のスプリング座４１が上下動自在に内装してあり、このスプリング座４１と前記リテーナカラー３３との間には、強力なストリッパースプリングなどのごとき付勢手段４３が弾装してある。したがって、前記スプリング座４１は常に上方向へ付勢されている。このスプリング座４１の上方向への移動は、前記筒状部材３７によって規制されている。すなわち、前記筒状部材３７は、前記スプリング座４１における被係止部としての上面の外周縁付近を上方向から係止して上方向への移動を規制する係止部としての前記内側フランジ３９を備えている。
【００１７】
前記スプリング座４１の上部には、常に把持可能なようにヘッド部材４５が位置してある。この実施形態においては、前記内側フランジ３９及びスプリング座４１から上方向へ突出したヘッド部材４５が、スプリング座４１に対して回動可能かつ一体的に固定可能に、スプリング座４１上にヘッド部材４５が載置してある。このヘッド部材４５は、下端部に備えた被係止部４７が係止部としての前記内側フランジ３９の段部に係止されることによって、前記筒状部材３７から上方向へ飛び出すことを規制されている。すなわち、前記被係止部４７は、前記内側フランジ３９及びスプリング座４１との間に、相対的に容易に回動することができるように挟まれた状態にあるものである。前記ヘッド部材４５には、前記パンチボディ７の上端部に形成した雄ねじ部４９と螺合した雌ねじ部５１が形成してある。
【００１８】
前記雄ねじ部４９に対してヘッド部材４５を回動するとき、パンチボディ７を固定状態に保持するために、前記パンチボディ７の上端部付近には上端面に至る上下方向のスリット（溝）５３が形成してあり、このスリット５３には、前記スプリング座４１に備えた回り止め部材５５が相対的に上下動自在に係合してある。したがって、付勢手段４３の付勢力によってスプリング座４１が筒状部材３７の内側フランジ３９へ押圧されているときの大きな摩擦により、また、付勢手段４３とスプリング座４１との接触による大きな摩擦により、スプリング座４１，パンチボディ７の軸心回りの回動が抑制されるものである。
【００１９】
前記スプリング座４１に対して前記ヘッド部材４５を相対的に回動不能に固定するために、スプリング座４１とヘッド部材４５との間にはロック装置５７が備えられている。すなわち、前記ヘッド部材４５には放射方向（径方向）の係合凹部が備えられており、この係合凹部にはロック片５９が放射方向へ移動自在に係合してある。そして、前記係合凹部に弾装したスプリング等のごとき弾性部材６１によって前記ロック片５９は放射外方向へ付勢されている。なお、ロック片５９は、ストッパ（図示省略）によって前記係合凹部から放射外方向へ抜け出すことのないように規制されているものである。
【００２０】
前記ロック片５９には、前記スプリング座４１側へ突出したピン状の係合部６３が備えられている。そして、前記スプリング座４１の上面には、前記係止部６３が周方向へ通過自在な周回許容部としての周溝６５が形成してあり、この周溝６５の外周側には、周溝６５に連通した放射外方向の複数の係止凹部６７が周方向に適宜間隔に備えられている。
【００２１】
なお、ロック片５９をヘッド部材４５側に設けるか、又はスプリング座４１側に設けるかは相対的なものであるから、ロック片５９をスプリング座４１側に設け、周溝６５，係止凹部６７をヘッド部材４５側に設けた構成とすることも可能である。この場合、筒状部材３７の一部に穴などを形成して、スプリング座４１に設けたロック片５９を外部から操作可能な構成とするものである。
【００２２】
前記構成において、前記リテーナカラー３３，筒状部材３７，スプリング座４１，付勢手段４３及びヘッド部材４５等は、前記パンチボディ７，パンチガイド３に対して着脱可能なパンチヘッドユニットを構成するものである。
【００２３】
以上のごとき構成において、常態においては、ロック装置５７におけるロック片５９の係止部６３はスプリング座４１に形成した適宜位置の係止凹部６７に係合した状態にあって、スプリング座４１に対してヘッド部材４５は回転不能に固定されて一体化された状態にある。そして、パンチプレスに上下動自在に備えたストライカ（ラム）によってヘッド部材４５の上面を打圧してパンチ金型１を下降すると、従来のパンチ金型と同様に、パンチガイド３の下端部でもって板状のワークをダイ（図示省略）の上面に押圧固定する。その後に、付勢手段４３の付勢力に抗して、ヘッド部材４５をさらに下降すると、パンチボディ７の下端部に備えたパンチ刃部とダイに備えたダイ孔との協働によって、ワークに打抜き加工が行われるものである。
【００２４】
上述のようにワークの打抜き加工を行うとき、ヘッド部材４５とスプリング座４１は常に一体的に上下動するものである。そして、前記ヘッド部材４５の上昇限は、筒状部材３７の内側フランジ３９によって規制されており、ヘッド部材４５等が上方向へ飛び出すようなことはないものである。
【００２５】
その後、長時間の使用によってパンチ刃部が摩耗したときには、パンチ刃部の再研磨を行うものである。この際、ロック装置５７におけるロック片５９を弾性部材６１の付勢力に抗して内方向へ押圧移動することにより、ロック片５９における係止部６３が係止凹部６７から離脱して周溝６５の位置に位置する。したがって、ヘッド部材４５を把持して、スプリング座４１に対してヘッド部材４５を回動することができ、パンチボディ７の雄ねじ部４９とヘッド部材４５の雌ねじ部５１との螺合状態を解除して、パンチボディ７をヘッド部材４５から下方向へ取り外すことができる。
【００２６】
上述のように、パンチボディ７を取り外してパンチ刃部の再研磨を行った後に、パンチボディ７の上端部に形成したスリット５３とスプリング座４１に備えた回り止め部材５５を係合した後、パンチボディ７の雄ねじ部４９とヘッド部材４５の雌ねじ部５１とを再び螺合することにより、元の状態に復帰することができるものである。そして、前述したように、ヘッド部材４５を回動してパンチボディ７の雄ねじ部４９とヘッド部材４５の雌ねじ部５１との螺合状態を調整することにより、パンチボディ７を相対的に上下動して、ハイト調整（パンチ金型の長さ調整）を行うことができるものである。
【００２７】
上記説明より理解されるように、ロック装置５７におけるロック片５９を弾性部材６１の付勢力に抗して押圧することにより、ロック装置５７におけるロックを解除し、ヘッド部材４５を把持して回動することができるものである。すなわち、何等の工具を使用することなくヘッド部材４５を容易に回動することができるものであり、前述したごとき従来の問題を解消し得るものである。
【００２８】
また、スプリング座４１に備えた回り止め部材５５をパンチボディ７の上端部に形成したスリット５３に係合してパンチボディ７の回動を規制している構成であるから、パンチガイド３の内面に上下方向のキー溝を加工する必要がなく、加工がより容易になるものである。また、パンチボディ７のスリット５３の加工も容易であり、全体的構成における構成要素の加工が容易であって構成の簡素化を図ることができるものである。
【００２９】
図２は、本発明に係るパンチ金型に使用するパンチヘッドユニットの第２の実施形態を示すもので、前述した構成要素と同一機能を奏する構成要素には同一符号を付することとして重複した説明は省略する。
【００３０】
この第２の実施形態においては、筒状部材３７の筒状部３７Ａを付勢手段４３としてのストリッパースプリングの内側に配置し、かつスプリング座４１に前記筒状部材３７の筒状部３７Ａに上下動自在に嵌入した筒状の下方向延伸部４１Ａを一体に備え、この下方向延伸部４１Ａの外周面に、前記筒状部３７Ａの内周面に形成した係止部３７Ｂに係止される、リング状の抜け止め用の被係止部としての固定具６９を備えた構成である。そして、スプリング座４１と常に把持可能なように常にスプリング座４１から上方に突出しているヘッド部材４５は、リング状の固定具７１によって上下方向に離脱しないように固定すると共に相対的に回転可能に組付けた構成である。
【００３１】
上記構成のパンチヘッドユニットをパンチガイド３の上部に装着すると共に、パンチガイド３内に上下動自在に嵌入されているパンチボディ７の上端部に形成した雄ねじ部４９をヘッド部材４５の雌ねじ部５１に螺合することにより、前述したパンチ金型と同様の効果を奏し得るものである。
【００３２】
なお、上記構成において、ロック装置５７におけるロック片５９の係止部６３と係合離脱自在な係止凹部６７は、スプリング座４１の上面に備えたリング状の突出部７３の部分に形成してある。したがって、上記突出部７３の内側で前記ロック片５９における係止部６３が回動するように周方向に通過する部分が前記周回許容部に相当するものである。
【図面の簡単な説明】
【００３３】
【図１】本発明の実施形態に係るパンチ金型の主要部分を示す断面説明図である。
【図２】第２の実施形態に係るパンチヘッドユニットの断面説明図である。
【図３】従来のパンチ金型の断面説明図である。
【図４】従来のパンチ金型の調整時の状態を示す説明図である。
【符号の説明】
【００３４】
３    パンチガイド
７    パンチボディ
３３    リテーナカラー
４１    スプリング座
４３    付勢手段（ストリッパースプリング）
４５    ヘッド部材
４９    雄ねじ部
５１    雌ねじ部
５３    スリット（溝）
５５    回り止め部材
５７    ロック装置
【図１】
2008132532.tif 000003
【図２】
2008132532.tif 000004
【図３】
2008132532.tif 000005
【図４】
2008132532.tif 000006